(57)【特許請求の範囲】
【請求項１】
古い軌道を除去し新しい軌道（４）を敷くための装置（１）であって、レール下部構造（５）に支持された機械フレーム（６）と、新しい枕木（３）を敷くために該レール下部構造（５）の間に配列された枕木敷設装置（２１）と、古い枕木（３）を上げるための枕木持ち上げ装置（４３）と、を含み、操作方向に対して枕木敷設装置（２１）の先に位置決めされた枕木受取端（５０）を有して装置の長手方向に延在する枕木運搬ユニット（４７）をさらに含む装置において、該枕木運搬ユニット（４７）は、該枕木受取端（５０）を含み該枕木敷設装置（２１）の後ろに位置する移送端（５２）を有する第１の運搬セクション（４９）と、該第１の運搬セクション（４９）の下に位置決めされ該装置の長手方向に延在し、該移送端（５２）から該枕木（３）を受け取るための第２の運搬セクション（５１）と、から構成され、該第２の運搬セクション（５１）の送出端（５６）は該枕木敷設装置（２１）のすぐ後ろに設けられ、
両運搬セクション（４９、５１）は、前記枕木敷設装置（２１）の後ろに位置決めされた共通の移送コンベヤベルト（５３）を具備し、枕木移送サイト（５８）を形成し、
前記移送コンベヤベルト（５３）は、ドライブ（５４）によって前記第１の運搬セクション（４９）から前記第２の運搬セクション（５１）へおよび該第２の運搬セクション（５１）から該第１の運搬セクション（４９）へ垂直に調節されるように設計され、所望により、作動のため回転ドライブ（５５）を有し、前記装置（１）の操作方向にまたは操作方向とは反対方向に枕木を運ぶことを特徴とする装置。
【請求項２】
前記第１の運搬セクション（４９）の下に位置決めされた前記第２の運搬セクション（５１）は、前記装置の長手方向に延在する位置から該装置の長手方向に垂直に延在する横方向位置内へ前記枕木（３）を回転するための枕木回転装置（５７）を有することを特徴とする請求項１に記載の装置。
【発明の詳細な説明】
【０００１】
【発明の属する技術分野】
本発明は、古い枕木を除去し新しい枕木を敷くための装置に関し、具体的には、レール下部構造に支持された機械フレームと、新しい枕木を敷くためにレール下部構造の間に配列された枕木敷設装置と、古い枕木を上げるための枕木持ち上げ装置と、を含み、操作方向に対して枕木敷設装置の先に位置決めされた枕木受取端を有して装置の長手方向に延在する枕木運搬ユニットをさらに含む装置に関する。
【０００２】
【従来の技術】
この種類の装置は、米国特許第４,８５４,２４３号から公知である。バラストを取り上げるために、エンドレス清掃チェーンが枕木持ち上げ装置と枕木敷設装置との間に設けられる。新しい枕木を運ぶための枕木運搬ユニットがこの清掃チェーンを通ってガイドされ、枕木は、スペース利用可能性のため、装置の長手方向に延在して位置決めされる。枕木運搬ユニットの端は、枕木敷設装置の前部に直接位置する。
【０００３】
【発明が解決しようとする課題】
本発明の目的は、  追加作業ユニットを配列するために十分なスペースを残すような方法で、枕木敷設装置と枕木持ち上げ装置との間の領域における枕木運搬を行うことができる、軌道を更換するための特定の種類の装置を提供することである。
【０００４】
【課題を解決するための手段・作用・効果】
本発明によれば、この目的は、頭書に記載された種類の装置で達成され、枕木運搬ユニットは、上記枕木受取端を含み枕木敷設装置の後ろに位置する移送端を有する第１の運搬セクションと、第１の運搬セクションの下に位置決めされ装置の長手方向に延在し、移送端から枕木を受け取るための第２の運搬セクションと、から構成され、第２の運搬セクションの送出端は枕木敷設装置のすぐ後ろに設けられる。
両運搬セクションは、枕木敷設装置の後ろに位置決めされた共通の移送コンベヤベルトを具備し、枕木移送サイトを形成し、移送コンベヤベルトは、ドライブによって第１の運搬セクションから第２の運搬セクションへおよび第２の運搬セクションから第１の運搬セクションへ垂直に調節されるように設計され、所望により、作動のため回転ドライブを有し、装置の操作方向にまたは操作方向とは反対方向に枕木を運ぶ。
【０００５】
枕木運搬ユニットのこの特別な設計で、枕木敷設装置と枕木持ち上げ装置との間の領域における枕木運搬は、もっぱら装置の長手方向領域に位置して実行され、最終横方向位置への必要な枕木の回転を含む。このため、他の作業ユニットを設置するために、最大スペースが上記２つの装置の間で利用可能であり、２つの装置の間の距離を広げる必要はない。したがって、たとえば、汚染されたバラストを清掃チェーンによって取り上げるために、および、クリーニングされたバラストを排出し、選別し、圧縮するために、特に有利な方法で２つの装置の間に位置する無軌道構造ギャップを利用することが可能である。この目的に必要なコンベヤベルトも、枕木運搬ユニットの特別な設計のため、問題なく配列することができる。
【０００６】
本発明のさらに有利な実施態様および利点は、従属請求項および図面から明らかである。
【０００７】
本発明は、図面に示される実施態様の助けで下記により詳細に説明される。
【０００８】
【発明の実施の形態】
図１〜５に示されるように、レール２および枕木３から形成される軌道４を更換するための装置１は、端に配列されるレール下部構造５によって軌道４上を動くことができる機械フレーム６を有する。機械フレーム６は、２つのフレーム部分７から構成され、装置の長手方向で一方が他方に従うように配列され、フレームジョイント８によって互いに関節式に接続される。２つのフレーム部分７を上方に広げながら下に位置するレール下部構造１０を上げ且つ軌道カーブ領域に操縦するために設けられたドライブ９と、清掃装置１１もフレームジョイント８に配列される。
【０００９】
ドライブ１２によって垂直に調節可能な清掃装置１１には、バラスト１４を取り上げるためにドライブ１３によって回転可能なエンドレスチェーンが装備される。装置の長手方向に延在し、排出端１８を有する第１のコンベヤベルトユニット１７の受取端１６が、清掃装置１１の排出端１５に連結される。第２のコンベヤベルトユニット１９が、装置の長手方向に延在し、第１のコンベヤベルトユニット１７の下に設けられる。第２のコンベヤベルトユニット１９は、矢印２０によって表される装置１の操作方向に対してすぐに先んじて配列される排出端２２と、枕木敷設装置２１と、排出端２２の下に位置するバラスト排出装置２３と、を有する。バラスト排出装置２３は、出口開口２５を有するシュート２４から構成される（図３参照）。
【００１０】
図３により詳しく示されるように、ドライブ２６によって垂直に調節可能なバラストグレード装置２７が、枕木敷設装置２１とすぐに先立つバラスト排出装置２３との間に位置し、バラストグレード装置は、振動可能なバラストコンソリデータ２８に接続されている。さらに、バラストグレード装置２７は、２つのプラウシールド３０を具備し、これは、それぞれ垂直軸２９を中心にして旋回することができ、装置の横方向に互いから間隔をおいて置かれ、枕木敷設装置２１は２つのプラウシールド３０の間に位置決めされる。
【００１１】
装置１の後部フレーム部分７は、レール下部構造３２を有するフレーム３１によって拡大され、したがって、ねじ込み操作のための作業スペースを形成する。レール下部構造３２のすぐ後ろに位置決めされた機械端３３に、バラストシュート３４が位置し、出口開口３５が装置の横方向に互いから間隔をおいて置かれる（図４）。第２のコンベヤベルトユニット１９の受取端３６がバラストシュート３４の上に位置決めされる。
【００１２】
図４に見られるように、第１のコンベヤベルトユニット１７の後部コンベヤベルト３７および第２のコンベヤベルトユニット１９のさらなる後部コンベヤベルト３８は、各々が、ドライブ３９によって装置の長手方向に変位するように装着される。スクリーニングワゴン４０が後部機械端３３に連結され、スクリーニングワゴン４０は、バラストクリーニングのためにドライブによって振動可能なスクリーニング装置４１と、エネルギを供給するためのモータユニット４２とを具備する。
【００１３】
装置１の操作方向の清掃装置１１のすぐ先に、枕木持ち上げ装置４３が位置する。枕木持ち上げ装置４３のすぐ先に、古い枕木３を追跡するための追跡装置４４が設けられる。先端フレーム部分７を動くことができるガントリークレーン４５の助けで、古い枕木３を運び去ることができ、新しい枕木３をコンベヤユニット４６へ輸送することができる。新しい枕木３は、装置の長手方向に延在する枕木運搬ユニット４７を経由して枕木敷設装置２１に運ばれる。
【００１４】
新しい枕木３を運搬するための枕木運搬ユニット４７は、装置１の操作方向に枕木敷設装置２１の先に位置決めされた枕木受取端５０を有する第１の運搬セクション４９と、第２の運搬セクション５１と、から構成される。装置の長手方向に延在する第１の運搬セクション４９は、枕木敷設装置２１の後ろに位置する移送コンベヤベルト５３の形状の移送端５２を有する。移送コンベヤベルト５３は、移送サイト５８を形成するために、ドライブ５４によって、第１の運搬セクション４９から第２の運搬セクション５１へおよび第２の運搬セクション５１から第１の運搬セクション４９へ垂直に調節可能であり、（図５の二重矢印参照）、所望により、作動用の回転ドライブ５５が装備されて、装置１の操作方向にまたは操作方向とは反対方向に枕木を運ぶ。新しい枕木３を運ぶために、送出端５６が、枕木敷設装置２１のすぐ後ろに配列される。枕木３を回転するために、それぞれの枕木回転装置５７が、２つの運搬セクション４９、５１の各々に、その前端領域で連結される。
【００１５】
装置１の操作的前進の間に、枕木運搬ユニット４７は、新しい枕木３を連続して送出し、これは、最終的に、枕木敷設装置２１の助けでバラストベッド上に敷かれる。第1の枕木回転装置５７（図１）によって装置の長手方向に回転された枕木は、枕木移送サイト５８で第２の運搬セクション５１へ移送され、ここで、移送コンベヤベルト５３が、ドライブ５４の作動によって第２の運搬セクション５１の運搬プレート内に下げられる。反対側で回転ドライブ５５の作動によって、枕木３は、第２の枕木回転装置５７へ向けた方向へ運ばれる。第２の枕木回転装置５７によって、枕木３は、装置の長手方向に垂直に延在する位置内へ回転され、最終的に送出端５６へ運ばれる。そこで、先頭の枕木３は、枕木敷設装置２１によって止められ、選別されたバラストベッド上に敷かれる。
【００１６】
図６において、本発明の実施態様のさらなる変形例が概略的に示され、簡略化のために、同一の機能を有する部品は、図１〜５に示された第１の変形例と同一の参照符号が付される。枕木運搬ユニット４７の特別設計は、新しい枕木３を運ぶために意図されたものではなく、むしろ、枕木持ち上げ装置４３から第２の運搬セクション５１の受取端５９へ古い枕木３を除去するために意図されたものであるという事実に、特別の相違が存在する。新しい枕木３は、枕木運搬ユニット６０を経由して枕木敷設装置２１へ運ばれる。枕木運搬ユニット４７の枕木移送サイト５８は、第１の変形例に記載したものと同様に作用し、古い枕木３は第２の運搬セクション５１から第１の運搬セクション４９へ移送され、操作方向に対して枕木回転装置５７へ運ばれる。
【図面の簡単な説明】
【図１】  軌道更換装置の操作方向に対する前部部分の側面図である。
【図２】  装置の後部部分の側面図である。
【図３】  装置の中央部分の拡大図である。
【図４】  後部機械端の拡大図である。
【図５】  後部機械端の拡大図である。
【図６】  さらなる実施態様の概略図である。
【符号の説明】
１  装置
２  レール
３  枕木
４  軌道
５  レール下部構造
６  機械フレーム
７  フレーム部分
８  フレームジョイント
９  ドライブ
１０  レール下部構造
１１  清掃装置
１２  ドライブ
１３  ドライブ
１４  バラスト
１５  排出端
１６  受取端
１７  第１のコンベヤベルトユニット
１８  排出端
１９  第２のコンベヤベルトユニット
２０  矢印
２１  枕木敷設装置
２２  排出端
２３  バラスト排出装置
２４  シュート
２５  出口開口
２６  ドライブ
２７  バラストグレード装置
２８  振動可能なバラストコンソリデータ
２９  垂直軸
３０  プラウシールド
３１  フレーム
３２  レール下部構造
３３  機械端
３４  バラストシュート
３５  出口開口
３６  受取端
３７  後部コンベヤベルト
３８  さらなる後部コンベヤベルト
３９  ドライブ
４０  スクリーニングワゴン
４１  スクリーニング装置
４２  モータユニット
４３  枕木持ち上げ装置
４４  追跡装置
４５  ガントリークレーン
４６  コンベヤユニット
４７  枕木運搬ユニット
４８  アースフォーメーション
４９  第１の運搬セクション
５０  枕木受取端
５１  第２の運搬セクション
５２  移送端
５３  移送コンベヤベルト
５４  ドライブ
５５  回転ドライブ
５６  送出端
５７  枕木回転装置
５８  枕木移送サイト
５９  受取端
６０  枕木運搬ユニット
【図１】
0004603202.tif 000002
【図２】
0004603202.tif 000003
【図３】
0004603202.tif 000004
【図４】
0004603202.tif 000005
【図５】
0004603202.tif 000006
【図６】
0004603202.tif 000007